(57)【要約】      （修正有）【課題】低費用で容易に作成することができ、ほとんどの窓枠に簡単に着脱が可能であって、かつ室内の体裁を損なわない効果的な窓防寒用プレートの集合体を提供する。【解決手段】プレートの集合体は、主として浴室の防寒を目的として窓に設置するプレートの集合体であって、少なくとも１組の組みプレートから成り、前記１組の組みプレートは、片面上長手方向に凸部１１１が形成された凸型プレート１１と、片面上長手方向に凹部１２１が形成された凹型プレート１２を有し、凸型プレート１１の凸部１１１が凹型プレート１２の凹部１２１に嵌合することにより１組の組みプレートを構成し、凸型プレート１１の凸部１１１と凹型プレート１２の凹部１２１を嵌合させた状態で互いに擦動させることにより長手方向の長さを変化させる。凸型プレート１１及び／又は凹型プレート１２は、発泡スチロールから成る。【選択図】図１
0003206672.tif 000002
【実用新案登録請求の範囲】
【請求項１】
防寒を目的として窓に設置するプレートの集合体であって、前記プレートの集合体は少なくとも１組の組みプレートから成り、前記１組の組みプレートは、
片面上長手方向に凸部が形成された凸型プレートと、
片面上長手方向に凹部が形成された凹型プレートと、
を有し、
前記凸型プレートの凸部が前記凹型プレートの凹部に嵌合することにより前記１組の組みプレートを構成し、
前記１組の組みプレートは前記凸型プレートの凸部と前記凹型プレートの凹部を嵌合させた状態で互いに擦動させることにより長手方向の長さが変化することを特徴とするプレートの集合体。
【請求項２】
前記凸型プレート及び／又は前記凹型プレートは、その全部又は一部が発泡スチロールから成ることを特徴とする請求項１記載のプレートの集合体。
【考案の詳細な説明】
【技術分野】
【０００１】
本考案は、部屋、特に浴室の防寒を目的として窓に設置するプレートの集合体に関する。
【背景技術】
【０００２】
部屋、特に浴室の防寒対策としては、（１）浴室暖房器の取付、（２）インナーウィンドウ又はペアガラスの設置、（３）防寒用透明断熱シートの貼り付け等の手段が一般的である。
【先行技術文献】
【特許文献】
【０００３】
【特許文献１】公開実用新案公報平１−１１８５９０
【特許文献２】実用新案登録第３１９０８１８号公報
【考案の概要】
【考案が解決しようとする課題】
【０００４】
上述した防寒対策には次のような問題がある。（１）浴室暖房器の取付は高価であるうえに、アパートや借家での設置は困難である。（２）インナーウィンドウはオーダーメイドで安価とは言えない。また、ペアガラスを設置してもアルミサッシから多くの熱が逃げる。（３）防寒用透明断熱シートは比較的安価であるが、ペアガラス同様、サッシからの放熱は止められない。
【０００５】
特許文献１には、プラスチック製のハニカム体を平板プラスチックでサンドイッチ状に挟んで作成した窓パネルと、拡縮自在とした取付け枠を網戸用のレール等に嵌着し得るようにした防寒窓枠装置の考案が開示されているが、材料の入手が難しいうえ構造が複雑であるため、設置は現実的でない。また、レールを必要とするため、どこにでも取り付けられるわけではないし、レールと窓枠の隙間から熱が放出してしまうことが考えられる。
【０００６】
特許文献２には、窓との間に衝立を置いて冷気滞留空間を形成し、冷えた窓ガラスに触れて降下してくる冷気が部屋中央部に流れ込むのを防止する窓際防寒ボードが提案されている。しかしながら、該装置は窓の前に低い衝立を置くことによって窓から入ってきた冷気の拡散を弱めるにとどまり、冷気の侵入を直接防ぐものではなく、防寒の効果はほとんどないと言わざるを得ない。
【０００７】
安価で設置が簡単で防寒効果が高い素材としては、発泡スチロールが挙げられる。しかし、発泡スチロールのボードをカットして窓枠に嵌めこむだけの防寒具は体裁が悪く、設置や取り外しにも手間がかかる。
【０００８】
上述の問題に鑑み、本考案においては、低費用で容易に作成することができ、ほとんどの窓枠に簡単に着脱が可能であって、かつ室内の体裁を損なわない効果的な窓防寒用プレート集合体を提供することを課題とする。
【課題を解決するための手段】
【０００９】
上記課題を解決するために、請求項１に係るプレートの集合体は、主として浴室の防寒を目的として窓に設置するプレートの集合体であって、少なくとも１組の組みプレートから成り、前記１組の組みプレートは、片面上長手方向に凸部が形成された凸型プレートと、片面上長手方向に凹部が形成された凹型プレートと
を有し、前記凸型プレートの凸部が前記凹型プレートの凹部に嵌合することにより前記１組の組みプレートを構成し、前記凸型プレートの凸部と前記凹型プレートの凹部を嵌合させた状態で互いに擦動させることにより長手方向の長さが変化することを特徴とする。
【００１０】
請求項２に係るプレートの集合体は、前記凸型プレート及び／又は前記凹型プレートは、発泡スチロールから成ることを特徴とする。
【考案の効果】
【００１１】
発泡スチロールのプレートがほとんど隙間なく窓枠を塞ぐため、高い防寒効果を得ることができる。
【００１２】
比較的容易かつ安価に材料を入手でき、簡単に作成できる。また、２枚のプレートを組み合わせることで伸縮性を実現したことにより、設置及び取り外しが簡単なうえ、ほとんどのサイズの窓に設置が可能である。
【００１３】
薄型で同形状のプレートの配置により、浴室内の体裁を損なうことなく、収納スペースも小さくすることができた。
【図面の簡単な説明】
【００１４】
【図１】本実施形態のプレート集合体の構成及び形状を示す斜視図である。
【図２】１組の組みプレートを窓に設置した状態を示す正面図である。
【図３】４組の組みプレートを窓に設置する例を示す水平断面図である。
【図４】４組の組みプレートを窓際に収納する例を示す水平断面図である。
【考案を実施するための形態】
【００１５】
本実施形態に係るプレートの集合体は、請求項２記載のプレートの集合体であって、すべてのプレートが発泡スチロールを素材とする。以下、図を用いて説明する。
【００１６】
請求項１において、本考案に係るプレートの集合体を構成する組みプレートの数は１組以上であるが、本実施形態においては、一般的な浴室窓の大きさを例にとり、４組（組みプレート１〜４）による構成とする。各々の組みプレートは、図１に示すように、凸型プレート１１と凹型プレート１２から成り、凸型プレート１１は片面上長手方向に凸部１１１が形成され、凹型プレート１２は同じく片面上長手方向に凹部１２１が形成されている。構造上は、凸型プレート１１の凸部１１１を凹型プレート１２の凹部１２１に嵌合させることにより１組の組みプレートとなる。本実施形態においては、図1に示すように、凸型プレート１２の凸部の突出しに２０度ほどの角度をつけ末広のスカート形状とし、凹型プレート１２の凹部もこれに対応した形状としている。両者を嵌合させた状態で、設置する窓枠の高さに合わせて、プレート１１・１２を互いに長手方向に擦動させることにより、高さを調節できる構成となっている。
【００１７】
凸部１１１は凹部１２１に入脱自在・擦動自在に嵌合されるが、前述したように嵌合部分の形状を末広のスカート型としたこと、及び発泡スチロールは着接面の摩擦係数が比較的高いことから、凸部１１１と凹部１２１が密着する構造にすることで、安定した仮固定が可能となる。図２は、最初の組みプレートを窓枠に設置した状態を示す
【００１８】
本実施形態では、各プレートのサイズは、幅３００ｍｍ、長さ５００ｍｍ、厚さ２０ｍｍとするが、設置したい窓枠のサイズに合わせての作成が可能である。窓枠の幅が組みプレートの幅の倍数と一致しない場合には、無理に押し込まず、図３に示すように、伸縮棒７を使用して抑えれば、着脱が容易になる。伸縮棒７は窓枠の奥行に余裕がある場合は窓枠内に設置し、余裕がない場合には、浴室の壁に設置する。図３は窓枠に収まらなかった組みプレート４を伸縮棒７で押さえるときの例を示す。
【００１９】
掃除、換気などでプレートを片付けるときや、夏場で必要としない場合には、図４に示すように、窓枠内に片寄せして保管することも可能である。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、上記実施形態ではプレート全体に素材として発泡スチロールを使用したが、将来、これよりも安価で軽い素材が開発された場合には其方を使用することもできるし、高級感や採光を重視する場合には、摩擦が必要な箇所のみに発泡スチロールのような摩擦係数が高い素材を用い、残りの部位には透明または半透明の素材を使用するといった構成の製品を制作することも可能である。また、組みプレートを構成する凸型・凹型プレートの数についても、凹型１枚と２枚の凸型を組み合わせた構成にして、高さが９０ｃｍ以上の窓枠に対応させるといった実施方法も考えられ、これら本実施形態と異なる諸々の形態の実施についても、本考案の技術的範囲に含まれるものと解する。
【符号の説明】
【００２１】
１      組みプレート
１１    凸型プレート
１１１  凸部
１２    凹型プレート
１２１  凹部
２      組みプレート
３      組みプレート
４      組みプレート
５      窓
６      窓枠
７      伸縮棒
【図１】
0003206672.tif 000003
【図２】
0003206672.tif 000004
【図３】
0003206672.tif 000005
【図４】
0003206672.tif 000006